(57)【要約】【課題】低電圧環境においても過負荷保護装置が動作することなく空気調和を継続できるものである。【解決手段】圧縮機吐出容積をＭＡＸとＳＡＶＥに切り替え可能な能力可変空気調和機により、通常負荷時には、ＭＡＸ運転とし、電源電圧の低下時や過電流等の過負荷状態時には、ＳＡＶＥ運転に移行する電圧検知や電流検知できる検知手段を設け、同時にＳＡＶＥ運転時には圧縮機モータを運転するコンデンサ容量を大とするようにしたものである。【選択図】図１
2007298256.tif 000002
【特許請求の範囲】
【請求項１】
コンデンサーモータにより駆動され、吐出容積を大小２段階に切替可能な圧縮機を搭載した空気調和機であって、前記空気調和機は圧縮機供給電圧検出装置と容量可変の圧縮機運転用コンデンサーとを有し、圧縮機供給電圧が所定値を下回ったときに圧縮機吐出容積を小とし、かつ運転用コンデンサー容量を大として運転させる制御手段を有する空気調和機。
【請求項２】
コンデンサーモータにより駆動され、吐出容積を大小２段階に切替可能な圧縮機を搭載した空気調和機であって、前記空気調和機は圧縮機供給電流検出装置と容量可変の圧縮機運転用コンデンサーとを有し、圧縮機供給電流が所定値を上回ったときに圧縮機吐出容積を小とし、かつ運転用コンデンサー容量を大として運転させる制御手段を有する空気調和機。
【請求項３】
コンデンサーモータにより駆動され、吐出容積を大小２段階に切替可能な圧縮機を搭載した空気調和機であって、前記空気調和機は圧縮機吐出圧力検出装置と容量可変の圧縮機運転用コンデンサーとを有し、圧縮機吐出圧力が所定値を上回ったときに圧縮機吐出容積を小とし、かつ運転用コンデンサー容量を大として運転させる制御手段を有する空気調和機。
【請求項４】
コンデンサーモータにより駆動され、吐出容積を大小２段階に切替可能な圧縮機を搭載した空気調和機であって、前記空気調和機は室外側熱交換器の温度検出装置と容量可変の圧縮機運転用コンデンサーとを有し、室外側熱交換器の温度が所定値を上回ったときに圧縮機吐出容積を小とし、かつ運転用コンデンサー容量を大として運転させる制御手段を有する空気調和機。
【請求項５】
容量可変の圧縮機運転用コンデンサーは、複数のコンデンサーとこれらのコンデンサーを並列接続する個数を選択する切替手段とからなり、並列接続のコンデンサー個数を増やすことによりコンデンサー容量を大とするものである、請求項１乃至４記載の空気調和機。
【請求項６】
容量可変の圧縮機運転用コンデンサーは、複数のコンデンサーとこれらのコンデンサーを直列接続する個数を選択する切替手段とからなり、直列接続のコンデンサー個数を減らすことによりコンデンサー容量を大とするものである、請求項１乃至４記載の空気調和機。
【発明の詳細な説明】
【技術分野】
【０００１】
本発明は、圧縮機吐出容積を大小２段階に能力切替できる圧縮機を搭載した能力可変式空気調和機に関するものである。
【背景技術】
【０００２】
従来の圧縮機搭載の空気調和機の運転において、電圧事情の悪い地域では、特に供給電圧が低い場合、運転電流値が上昇し、圧縮機の電動機部の出力が極端に減少してしまい、いわゆる、ブレークダウンと呼ばれる電動機部の強制停止に繋がる。このときは、当然、圧縮作用が中断されてしまう。
【０００３】
このため、電源電圧低下時など、運転電流値が上昇した場合は、圧縮機保護のため、保護装置として、過負荷継電器が作動し、圧縮機通電回路が遮断して、圧縮機内部電動機の巻線の焼損、或いは焼け付きを防いでいる。
【０００４】
また、従来の過負荷継電器を用いた圧縮機保護装置には以下のような課題があった。
【０００５】
すなわち、例えば電源電圧が低い場合には、冷凍サイクルは過負荷の状態になりやすく、又圧縮機もロックしやすくなる。こうした状況になると過負荷継電器作動は何度も繰り返すことになる。
【０００６】
このため、過負荷継電器の作動を検知する過負荷継電器作動手段や再起動電圧変更手段を備えているものがある（例えば、特許文献１参照）。
【特許文献１】特開平７−１７４３９２号公報
【発明の開示】
【発明が解決しようとする課題】
【０００７】
しかしながら、前記の構成では、電源電圧が極めて低い場合には、低電圧保護手段が作動し、冷凍サイクルが過負荷になると、過負荷継電器が作動するため、圧縮機と空気調和機本体は何度も運転や停止を繰り返すことになる。
【０００８】
こうした状況になると、圧縮機は断続運転が繰り返され、圧縮機構部の破壊に至る虞があった。
【課題を解決するための手段】
【０００９】
前記従来の課題を解決するため、本発明の空気調和機は、圧縮機吐出容積を大として運転するＭＡＸ運転と小にして運転するＳＡＶＥ運転とを切り替えることにより２段階に能力を可変できる圧縮機を搭載した能力可変式空気調和機で、供給電圧検出装置を備え、供給電圧が所定値を下回った時、圧縮機をＳＡＶＥ運転で、且つ、コンデンサ容量を大きくして運転させる空気調和機である。
【００１０】
これによって、供給電圧が低下し、運転電流が上昇しても、圧縮機をＳＡＶＥで運転することにより、圧縮負荷を低減し、電流値を下げるものである。更には、複数の圧縮機の運転用コンデンサでコンデンサ容量を大きくし、圧縮機内部の電動機のトルクを上げることによって、ブレークダウンを抑制できる。すなわち、圧縮機を停止させることがなく空気調和を継続できる。
【００１１】
また、本発明の他の空気調和機は、電流検出装置を備え、運転電流が所定値を上回った
時、圧縮機をＳＡＶＥ運転で、且つ、コンデンサ容量を大きくして運転させる空気調和機である。
【００１２】
これによって、供給電圧が低下し、運転電流が上昇しても、圧縮機をＳＡＶＥで運転することにより、圧縮負荷を低減し、電流値を下げるものである。更には、複数の圧縮機の運転用コンデンサでコンデンサ容量を大きくし、圧縮機内部の電動機のトルクを上げることによって、ブレークダウンを抑制できる。すなわち、圧縮機を停止させることがなく空気調和を継続できる。
【００１３】
また、本発明の他の空気調和機は、圧縮機の吐出圧力検出装置を備え、吐出圧力が所定値を上回った時、圧縮機をＳＡＶＥ運転で、且つ、コンデンサ容量を大きくして運転させる空気調和機である。
【００１４】
電流値と相関関係のある吐出圧力を検出することにより、外気温が上昇し、吐出圧力が上昇しても、圧縮機をＳＡＶＥで運転することにより、吐出圧力過上昇を緩和し、運転電流を下げることができる。更には、複数の圧縮機の運転用コンデンサでコンデンサ容量を大きくし、圧縮機内部の電動機のトルクを上げることによって、ブレークダウンを抑制できる。すなわち、圧縮機を停止させることがなく空気調和を継続できる。
【００１５】
また、本発明の他の空気調和機は、室外側熱交換器の温度検出装置を備え、室外側熱交換器の温度が所定値を上回った時、圧縮機をＳＡＶＥ運転で、且つ、コンデンサ容量を大きくして運転させる空気調和機である。
【００１６】
電流値と相関関係のある室外側熱交換器の温度を検出することにより、外気温が上昇し、室外側熱交換器の温度が上昇しても、圧縮機をＳＡＶＥで運転することにより、室外側熱交換器の温度上昇を緩和し、運転電流を下げることができる。更には、複数の圧縮機の運転用コンデンサでコンデンサ容量を大きくし、圧縮機内部の電動機のトルクを上げることによって、ブレークダウンを抑制できる。すなわち、圧縮機を停止させることがなく空気調和を継続できる。
【発明の効果】
【００１７】
本発明の空気調和機は、低電圧や過負荷状態においても、圧縮機を停止させることなく、圧縮機をＳＡＶＥで運転させ、空気調和を継続できる。
【発明を実施するための最良の形態】
【００１８】
第１の発明は、室内空気吸込み口と室内側熱交換器と室内側送風機と室内空気吹出し口からなる室内送風回路と、室外空気吸込み口と室外側熱交換器と室外側送風機と室外空気吹出し口からなる室外送風回路と、室内側熱交換器と室外側熱交換器と圧縮機と絞り装置を配管で連接した冷凍サイクルと、制御装置からなる空気調和機において、圧縮機吐出容積をＭＡＸとＳＡＶＥに切り替えることにより２段階に能力を可変できる圧縮機を搭載した能力可変式空気調和機に関し、電圧検出装置を備え、供給電圧が所定値を下回った時、圧縮機をＳＡＶＥで運転させることにより、低電圧環境においても、圧縮機を停止させることなく、圧縮機を運転できるので、空気調和が継続できる。更には、複数の圧縮機の運転用コンデンサでコンデンサ容量を大きくし、圧縮機内部の電動機のトルクを上げることによって、ブレークダウンを抑制できると共に、圧縮機の回転数を上げ、空気調和能力の維持でき、圧縮機を停止させることがなく空気調和を継続できる。
【００１９】
第２の発明は、特に、第１の発明の空気調和機で電流検出装置を備え、運転電流が所定値を上回った時、圧縮機をＳＡＶＥで運転させることにより、低電圧環境で運転電流が上昇したり、過負荷状態によって運転電流が上昇しても、圧縮機を停止させることなく、圧
縮機を運転できるので、空気調和が継続できる。更には、複数の圧縮機の運転用コンデンサでコンデンサ容量を大きくし、圧縮機内部の電動機のトルクを上げることによって、ブレークダウンを抑制できると共に、圧縮機の回転数を上げ、空気調和能力の維持でき、圧縮機を停止させることがなく空気調和を継続できる。
【００２０】
第３の発明は、特に、第１または第２の発明の空気調和機で圧縮機の吐出圧力検出装置を備え、吐出圧力が所定値を上回った時、圧縮機をＳＡＶＥで運転させることにより、過負荷状態においても、圧縮機を停止させることなく、圧縮機を運転できるので、空気調和が継続できる。更には、複数の圧縮機の運転用コンデンサでコンデンサ容量を大きくし、圧縮機内部の電動機のトルクを上げることによって、ブレークダウンを抑制できると共に、圧縮機の回転数を上げ、空気調和能力の維持でき、圧縮機を停止させることがなく空気調和を継続できる。
【００２１】
第４の発明は、特に、第１〜３のいずれか１つの発明の空気調和機で室外側熱交換器の温度検出装置を備え、室外側熱交換器の温度が所定値を上回った時、圧縮機をＳＡＶＥで運転させることにより、過負荷状態においても、圧縮機を停止させることなく、圧縮機を運転できるので、空気調和が継続できる。更には、複数の圧縮機の運転用コンデンサでコンデンサ容量を大きくし、圧縮機内部の電動機のトルクを上げることによって、ブレークダウンを抑制できると共に、圧縮機の回転数を上げ、空気調和能力の維持でき、圧縮機を停止させることがなく空気調和を継続できる。
【００２２】
以下本発明の実施の形態について、図面を参照しながら説明する。なお、以下に記載する実施の形態により本発明が限定されるものではない。
【００２３】
（実施の形態１）
図１は本発明の実施の形態１におけるフローチャートである。
【００２４】
図２は本発明の実施の形態１におけるブロック図である。
【００２５】
図２において、制御装置１と、圧縮吐出容積をＭＡＸとＳＡＶＥの２段階に能力を可変できる圧縮容積可変圧縮機２と、電源電圧を検出してその値を制御装置１に送出する電圧検出装置４と圧縮容積可変圧縮機２に送出するＭＡＸ／ＳＡＶＥ切り替え装置３を備え、制御装置１にて設定されている電源電圧の所定値を電圧検出装置４で検出した電圧が低くなった場合、圧縮容積可変圧縮機２をＳＡＶＥ運転させるものである。またこのような電源電圧低下による電圧検出装置４にて圧縮容積可変圧縮機２をＳＡＶＥ運転させた場合には、制御装置１より、圧縮機の運転用コンデンサブロック８に信号送出し、圧縮機の運転用コンデンサ容量を大きくなるように接続されるものである。
【００２６】
以上のように構成された空気調和機であれば、電圧事情の悪い地域で、電源電圧が低い場合でも過負荷保護装置が作動することなく、且つ、圧縮機の負荷も低減でき、空調運転を継続することができる。
【００２７】
（実施の形態２）
図３は本発明の実施の形態２におけるフローチャートである。
【００２８】
図４は本発明の実施の形態２におけるブロック図である。
【００２９】
図４において、制御装置１と、圧縮吐出容積をＭＡＸとＳＡＶＥの２段階に能力を可変できる圧縮容積可変圧縮機２と、運転電流を検出してその値を制御装置１に送出する運転電流検出装置５と圧縮容積可変圧縮機２に送出するＭＡＸ／ＳＡＶＥ切り替え装置３を備
え、制御装置１にて設定されている運転電流の所定値を運転電流検出装置５で検出した電流が高くなった場合、圧縮容積可変圧縮機２をＳＡＶＥ運転させるものである。またこのような電源電圧低下による運転電流検出装置５にて圧縮容積可変圧縮機２をＳＡＶＥ運転させた場合には、制御装置１より、圧縮機の運転用コンデンサブロック８に信号送出し、圧縮機の運転用コンデンサ容量を大きくなるように接続されるものである。
【００３０】
以上のように構成された空気調和機であれば、電圧事情の悪い地域で、圧縮機の運転電流が高い場合でも過負荷保護装置が作動することなく、且つ、圧縮機の負荷も低減でき、空調運転することができる。
【００３１】
（実施の形態３）
図５は本発明の実施の形態３におけるフローチャートである。
【００３２】
図６は本発明の実施の形態３におけるブロック図である。
【００３３】
図６において、制御装置１と、圧縮吐出容積をＭＡＸとＳＡＶＥの２段階に能力を可変できる圧縮容積可変圧縮機２と、吐出圧力を検出してその値を制御装置１に送出する吐出圧力検出装置６と圧縮容積可変圧縮機２に送出するＭＡＸ／ＳＡＶＥ切り替え装置３を備え、制御装置１にて設定されている吐出圧力の所定値を吐出圧力検出装置６で検出した吐出圧力が高くなった場合、圧縮容積可変圧縮機２をＳＡＶＥ運転させるものである。またこのような冷凍サイクルが過負荷状態による吐出圧力検出装置６にて圧縮容積可変圧縮機２をＳＡＶＥ運転させた場合には、制御装置１より、圧縮機の運転用コンデンサブロック８に信号送出し、圧縮機の運転用コンデンサ容量を大きくなるように接続されるものである。
【００３４】
以上のように構成された空気調和機であれば、外気温が上昇し、冷凍サイクルが過負荷状態となり、吐出圧力が高い場合でも過負荷保護装置が作動することなく、且つ、圧縮機の負荷も低減でき、空調運転することができる。
【００３５】
（実施の形態４）
図７は本発明の実施の形態４におけるフローチャートである。
【００３６】
図８は本発明の実施の形態４におけるブロック図である。
【００３７】
図８において、制御装置１と、圧縮吐出容積をＭＡＸとＳＡＶＥの２段階に能力を可変できる圧縮容積可変圧縮機２と、室外熱交換器温度を検出してその値を制御装置１に送出する室外熱交換器温度検出装置７と圧縮容積可変圧縮機２に送出するＭＡＸ／ＳＡＶＥ切り替え装置３を備え、制御装置１にて設定されている室外熱交換器温度の所定値を室外熱交換器温度検出装置７で検出した温度が高くなった場合、圧縮容積可変圧縮機２をＳＡＶＥ運転させるものである。またこのような室外熱交換器温度上昇による室外熱交換器温度検出装置７にて圧縮機２をＳＡＶＥ運転させた場合には、制御装置１より、圧縮機の運転用コンデンサブロック８に信号送出し、圧縮機の運転用コンデンサ容量を大きくなるように接続されるものである。
【００３８】
以上のように構成された空気調和機であれば、外気温が上昇し、冷凍サイクルが過負荷状態となり、吐出圧力が高い場合でも過負荷保護装置が作動することなく、且つ、圧縮機の負荷も低減でき、空調運転することができる。
【産業上の利用可能性】
【００３９】
以上のように、本発明にかかる空気調和機は、圧縮機吐出容積をＭＡＸとＳＡＶＥに切
り替えることにより２段階に能力を可変できる圧縮機を搭載し、過負荷状態にはＳＡＶＥで運転できるので、空気調和機ばかりではなく、除湿機や乾燥機などにも適用できる。
【図面の簡単な説明】
【００４０】
【図１】本発明の実施の形態１におけるフローチャート
【図２】本発明の実施の形態１におけるブロック図
【図３】本発明の実施の形態２におけるフローチャート
【図４】本発明の実施の形態２におけるブロック図
【図５】本発明の実施の形態３におけるフローチャート
【図６】本発明の実施の形態３におけるブロック図
【図７】本発明の実施の形態４におけるフローチャート
【図８】本発明の実施の形態４におけるブロック図
【図９】従来の過負荷保護装置を示す過負荷保護装置動作ブロック図
【符号の説明】
【００４１】
１      制御装置
２      圧縮容積可変圧縮機
３      ＭＡＸ／ＳＡＶＥ切り替え装置
４      電圧検出装置
５      運転電流検出装置
６      吐出圧力検出装置
７      室外熱交換器温度検出装置
８      圧縮機の運転用コンデンサブロック
【図１】
2007298256.tif 000003
【図２】
2007298256.tif 000004
【図３】
2007298256.tif 000005
【図４】
2007298256.tif 000006
【図５】
2007298256.tif 000007
【図６】
2007298256.tif 000008
【図７】
2007298256.tif 000009
【図８】
2007298256.tif 000010
【図９】
2007298256.tif 000011